(57)【要約】【課題】受皿部を備えつつも充電対象機器を安定に、かつ遊技者に見やすく載置することができる台間機を提供する。【解決手段】台間機（３）は、遊技媒体の計数機（１１）と、受皿部（２０）を構成する受入部（２１）および通路部（２２）と、充電対象機器が接続されることで充電を行う充電部（１３）と、充電部（１３）にて充電される充電対象機器を載置する載置トレイ（３０）と、を有し、載置トレイ（３０）は、通路部（２２）の底面側に収納可能に設けられ、遊技者側に引き出されて使用される。【選択図】図２
2019150402.tif 000002
【特許請求の範囲】
【請求項１】
遊技機に隣接して設置される台間機であって、
遊技媒体の計数機と、
前記遊技機の球皿から落下する遊技媒体を受け入れる受入部と、
前記受入部が受け入れた遊技媒体を前記計数機に案内する通路部と、
充電対象機器が接続されることで該充電対象機器の充電を行う充電部と、
前記充電部にて充電される前記充電対象機器を載置する載置台と、を有し、
前記載置台は、前記通路部の底面側に収納可能に設けられ、遊技者側に引き出されて使用されることを特徴とする台間機。
【請求項２】
前記載置台は、前記通路部に対して左右方向にスライド可能に設けられていることを特徴とする請求項１に記載の台間機。
【請求項３】
前記載置台は、前記通路部に対して脱着可能に設けられていることを特徴とする請求項１又は２に記載の台間機。
【請求項４】
前記載置台は、前記通路部の底面側に前記通路部に対して左右方向にスライド可能に設けられたベース部に、前後方向にスライド可能に支持されていることを特徴とする請求項２に記載の台間機。
【請求項５】
前記載置台は、前記通路部の底面側に前記通路部に対して脱着可能に設けられたベース部に、前後方向にスライド可能に支持されていることを特徴とする請求項３に記載の台間機。
【請求項６】
前記載置台は、遊技者側に引き出された状態で奥側を支点に下方に回動し、前側に前記充電対象機器の動きを規制する壁部を有することを特徴とする請求項１〜５の何れか１項に記載の台間機。
【請求項７】
前記載置台は、前記充電対象機器を差し込むための穴を有することを特徴とする請求項１〜５の何れか１項に記載の台間機。
【請求項８】
前記載置台は、遊技者側に引き出された状態で、内周側が奥側を支点に下方に回動し、外周側が枠状に残ることを特徴とする請求項１〜５の何れか１項に記載の台間機。
【発明の詳細な説明】
【技術分野】
【０００１】
本発明は、遊技機の側方に配置される台間機に関し、詳しくは、充電機能付きの台間機に関するものである。
【背景技術】
【０００２】
パチンコ店などの遊技店では、遊技台毎に台間機が側方に配置され、遊技媒体の貸し出しを行うようになっている。このような台間機においては、携帯電話等を充電する充電機能を有するものもある。
【０００３】
例えば、特許文献１には、充電用端子が設けられた充電機能付き台間機が開示されている。また、特許文献２、３には、充電機能と共に、台間機内に携帯電話等の充電対象機器を保持しておくホルダや装着部等の載置部を有する台間機が開示されている。
【０００４】
また、従来、遊技店においては、遊技者が獲得した遊技媒体を球箱に溜め、遊技終了時に遊技島の端等に設置されている計数機に持って行き計数する運用であった。しかしながら、近年は、台間機が計数機能を有する各台計数の運用が広まり、台間機に球箱に代わる受皿部が備えられるようになっている。
【０００５】
受皿部は、遊技媒体を遊技機から受け取って計数機を備えた台間機に流すもので、遊技機の球皿から落下する遊技媒体を受け入れる受入部と、受入部が受け入れた遊技媒体を台間機に備えられた計数機に案内する通路部とを備えている。
【先行技術文献】
【特許文献】
【０００６】
【特許文献１】特許第５４８６８１５号明細書
【特許文献２】特開２０１５−５１０６１号公報
【特許文献３】特開２０１１−９２２３０号公報
【発明の概要】
【発明が解決しようとする課題】
【０００７】
しかしながら、特許文献１の構成では、球箱に代わって受皿部が設置されると、充電対象機器を膳板上に安定して載置することができないといった問題がある。これは、従来、充電対象機器の載置場所として利用されていた球箱の左隣（遊技機に向かって）、つまり、受入部の左隣のスペースに通路部が配置されるため、膳板上に十分な空きエリアが確保できないためである。
【０００８】
特に、従来、台間機の前の左端のエリアに灰皿を設置している店舗が多くあり、このような店舗の場合、灰皿によって充電対象機器を載置することがさらに困難になる。しかも、灰皿の周辺には灰が散乱していることがあり、遊技者は、灰皿の周辺に充電対象機器を載置することに抵抗を感じる。
【０００９】
これに対し、特許文献２，３の構成では、専用の載置部が台間機本体に設けられているため、置き場所の問題は解決されるように思われる。しかしながら、近年のスマートフォンや携帯電話等の充電対象機器は大型化しているため、安定して載置するには載置部を大きくする必要がある。ところが、遊技機の装飾も大型化しているため、遊技機の前扉を開いた際に前扉が台間機本体と干渉しやすくなっており、台間機本体に大きな載置部を設けること自体が困難となっている。ここで言う台間機本体とは、受皿部が備えられた台間機における受皿部を除いた遊技機の側方に配置される部分である。
【００１０】
また、今日、遊技機で遊技を楽しみながら、スマートフォンや携帯電話を操作する遊技者も多い。そのため、遊技しながらスマートフォンや携帯電話を視認可能に載置することができる構成とすることで、遊技機での遊技をさらに楽しんでもらうことが可能になると考えられる。特許文献２、３に記載されているホルダや装着部の構成では、良好な視認性を得ることはできない。
【００１１】
本発明は上記の問題に鑑みてなされたものであり、その目的は、受皿部を備えつつも充電対象機器を安定に、かつ遊技者に見やすく載置することができる台間機を提供することにある。
【課題を解決するための手段】
【００１２】
本発明は、上記課題を解決するために、以下の構成を採用している。
【００１３】
すなわち、本発明の一側面に係る台間機は、遊技機に隣接して設置される台間機であって、遊技媒体の計数機と、前記遊技機の球皿から落下する遊技媒体を受け入れる受入部と、前記受入部が受け入れた遊技媒体を前記計数機に案内する通路部と、充電対象機器が接続されることで該充電対象機器の充電を行う充電部と、前記充電部にて充電される前記充電対象機器を載置する載置台と、を有し、前記載置台は、前記通路部の底面側に収納可能に設けられ、遊技者側に引き出されて使用されることを特徴とする。
【００１４】
通路部の底面側は、遊技機の前扉を開けても前扉と干渉しないエリアであり、かつ、充電部にも近いエリアである。したがって、上記構成のように、充電対象機器を載置する載置台を、通路部の底面側に収納可能に設け、遊技者側に引き出されて使用する構成とすることで、スマートフォンや携帯電話等の充電対象機器を、遊技機の形状に影響されることなく、充電部に近いエリアに安定して載置することが可能となる。
【００１５】
また、載置台上に載置することで、膳板上に直に載置する場合に比べて、散乱している灰とも接触し難いので、充電対象機器を安心して載置することができる。
【００１６】
しかも、載置台は遊技者側に引き出されて使用されるので、載置されている充電対象機器を遊技者は容易に見ることができ、操作もできる。これにより、遊技しながら充電対象機器であるスマートフォンや携帯電話を操作することが簡単にでき、遊技機での遊技をさらに楽しんでもらうことが可能になる。
【００１７】
本発明の一側面に係る台間機においては、さらに、前記載置台は、前記通路部に対して左右方向にスライド可能に設けられている構成とすることもできる。このような構成とすることで、例えば、膳板に灰皿が設置されていない遊技店や、設置されていても使用されていない遊技店の場合には、載置台を左方向にスライドさせて用いることで、台中央に充電対象機器を載置できるようになり、より安定して載置することができる。
【００１８】
本発明の一側面に係る台間機においては、さらに、前記載置台は、前記通路部に対して脱着可能に設けられている構成とすることもできる。このような構成とすることで、充電部を使用したサービスを行っていない遊技店や、載置台を必要としない遊技店においては、載置台を容易に取り外すことができる。
【００１９】
本発明の一側面に係る台間機においては、さらに、前記載置台は、前記通路部の底面側に前記通路部に対して左右方向にスライド可能に設けられたベース部に、前後方向にスライド可能に支持されている構成とすることもできる。このような構成とすることで、通路部に対する構成の変更を僅かな変更に抑えて、容易にスライド構造を実現できる。
【００２０】
本発明の一側面に係る台間機においては、さらに、前記載置台は、前記通路部の底面側に前記通路部に対して脱着可能に設けられたベース部に、前後方向にスライド可能に支持されている構成とすることもできる。このような構成とすることで、通路部に対する構成の変更を僅かな変更に抑えて、容易に脱着可能な構造を実現できる。
【００２１】
本発明の一側面に係る台間機においては、さらに、前記載置台は、遊技者側に引き出された状態で奥側を支点に下方に回動し、前側に前記充電対象機器の動きを規制する壁部を有する構成としたり、前記充電対象機器を差し込むための穴を有する構成としたり、遊技者側に引き出された状態で、内周側が奥側を支点に下方に回動し、外周側が枠状に残る構成としたりすることができる。
【発明の効果】
【００２２】
本発明は、受皿部を備えつつも充電対象機器を安定して膳板上に載置することができる台間機を提供することができるといった効果を奏する。
【図面の簡単な説明】
【００２３】
【図１】本実施の形態に係る台間機の適用例を例示するもので、台間機が設置される遊技島の構成を示す斜視図である。
【図２】実施の形態１に係る台間機の受皿部の構成およびその周囲を示す斜視図である。
【図３】実施の形態１に係る台間機の受皿部に設けられた載置トレイに充電対象機器が置かれた状態を示す斜視図である。
【図４】実施の形態２に係る台間機の受皿部に設けられた載置トレイの構成と、載置トレイに充電対象機器が置かれた状態を示す斜視図である。
【図５】実施の形態３に係る台間機の受皿部に設けられた載置トレイの構成を示す斜視図であり、（ａ）は載置トレイが引き出された状態、（ｂ）は載置トレイを引き出した後、奥側を支点に下方に回動させて、充電対象機器が縦置きされた状態、（ｃ）は載置トレイを引き出した後、奥側を支点に下方に回動させて、充電対象機器が横置きされた状態を示す。
【図６】（ａ）（ｂ）は共に、実施の形態３に係る台間機の受皿部に設けられた載置トレイを下方に回動させる機構を説明する図である。
【図７】実施の形態３に係る台間機の受皿部に設けられた載置トレイを下方に回動させる別の機構を説明する図である。
【図８】実施の形態４に係る台間機の受皿部に設けられた載置トレイの構成を示す斜視図であり、（ａ）は載置トレイが引き出された状態、（ｂ）は引き出された載置トレイが下方に回動された状態、（ｃ）は載置トレイの一部が左方向にスライドして引き出された後に、充電対象機器が横置きされた状態である。
【図９】図８の（ｃ）のＡ−Ａ線矢視断面図である。
【図１０】実施の形態５に係る台間機の受皿部に設けられた載置トレイの構成を示す斜視図であり、（ａ）は載置トレイが引き出された状態、（ｂ）は引き出された載置トレイの底面の一部が奥側を支点に下方に回動された後に、充電対象機器が縦置きされた状態であり、また、その要部の拡大図である。
【図１１】実施の形態６に係る台間機の受皿部に取り付けられたベース部３１の構成を示す斜視図であり、（ａ）はベース部を左にスライドさせた状態、（ｂ）はベース部を左にスライドさせた状態で載置トレイに充電対象機器が横置きされた状態である。
【図１２】実施の形態６に係る台間機の受皿部に取り付けられたベース部のスライド機構を示す説明図である。
【図１３】実施の形態６に係る台間機の受皿部に取り付けられたベース部を通路部に対して脱着可能にする構成を示す説明図であり、（ａ）は爪部が切欠き部の無い位置にある状態の要部の斜視図、（ｂ）は爪部が切欠き部の有る位置にある状態の要部の斜視図、（ｃ）は（ａ）のＢ−Ｂ線矢視断面図、（ｄ）は（ｂ）のＣ−Ｃ線矢視断面図、（ｅ）（ｆ）は、（ｄ）の状態から工具を用いてベース部を取り外す動作を示している。
【図１４】参考例の台間機の受皿部に設けられた載置トレイを跳ね上げて収納する構成を示す斜視図であり、（ａ）は載置トレイが跳ね上げて収納された状態、（ｂ）は載置トレイの使用時の状態である。
【図１５】参考例の台間機の受皿部に設けられた載置トレイの構成と、実施の形態３に係る台間機の受皿部に設けられた載置トレイの構成とを比較して示す説明図である。
【発明を実施するための形態】
【００２４】
以下、本発明の一側面に係る実施の形態（以下、「本実施形態」とも表記する）を、図面に基づいて説明する。ただし、以下で説明する本実施形態は、あらゆる点において本発明の例示に過ぎない。本発明の範囲を逸脱することなく種々の改良や変形を行うことができることは言うまでもない。つまり、本発明の実施にあたって、実施形態に応じた具体的構成が適宜採用されてもよい。
【００２５】
§１  適用例
まず、本発明が適用される場面の一例について説明する。図１は、本実施の形態に係る台間機３の適用例を例示するもので、台間機３が設置される遊技島１の構成を示す斜視図である。
【００２６】
図１に示すように、遊技島１においては、膳板５の上に複数の遊技機２が並んで配置されている。なお、特に断らない限り、本明細書において、遊技機２に対して遊技者側を前側、前側の反対側を後側（奥側）とし、遊技者から見て左を左側、右を右側とし、遊技者から見て上を上側、下を下側とする。また、遊技媒体として球状のものを例示する。
【００２７】
遊技機２は、前面がガラス扉で覆われた遊技盤７を有し、遊技盤７の前面に遊技領域が形成されている。遊技盤７の下方には打つための遊技媒体を供給する上皿８が設けられ、上皿８の下方に、上皿８から溢れた遊技媒体を貯留する下皿９と、遊技媒体を打つ操作ハンドル１０とが設けられている。
【００２８】
各遊技機２の左側には台間機３が設置されている。台間機３は、各台計数に対応しており、遊技媒体の計数機１１（図２参照）と受皿部２０とを備えている。受皿部２０は、受入部２１と通路部２２とを有する。受入部２１は、遊技機２の下皿９の下方に設置され、下皿９から落下する遊技媒体を受け入れる。通路部２２は、受入部２１が受け入れた遊技媒体を計数機１１に案内する。
【００２９】
また、台間機３は、充電機能を有しており、スマートフォンや携帯電話等の充電対象機器４０（図３参照）が接続されることで充電対象機器４０の充電を行う充電部１３を備えている。
【００３０】
そして、台間機３はさらに、本発明における注目すべき構成として、充電部１３にて充電される充電対象機器４０を載置可能で、通路部２２の底面側に収納可能に設けられ、遊技者側に突出した状態で使用される載置トレイ（載置台）３０を有している。
【００３１】
通路部２２の底面側は、遊技機２の前扉を開けても前扉と干渉しないエリアであり、かつ、充電部１３にも近いエリアである。したがって、上記構成のように、載置トレイ３０を通路部２２の底面側に収納可能に設け、使用時に遊技者側に突出させる構成とすることで、スマートフォンや携帯電話等の充電対象機器４０を、遊技機２の形状に影響されることなく、充電部１３に近いエリアに安定して載置することが可能となる。
【００３２】
また、載置台３０上に載置することで、膳板５上に直に載置する場合に比べて、散乱している灰とも接触し難いので、充電対象機器４０を安心して載置することができる。
【００３３】
しかも、載置トレイ３０は遊技者側に突出しているので、載置されている充電対象機器４０を遊技者は容易に見ることができ、操作もできる。これにより、遊技しながら充電対象機器４０であるスマートフォンや携帯電話を操作することが簡単にでき、遊技機２での遊技をさらに楽しんでもらうことが可能になる。また、載置トレイ３０は収納可能に設けられているので、灰皿１５の使用時など不要な場合は収納しておくことで、邪魔になることもない。以下、このような載置トレイ３０を有する台間機３について、具体例を挙げて説明する。
【００３４】
§２  構成例
〔実施の形態１〕
以下、本発明の一側面における実施形態を、図２、図３に基づいて例示する。図２は、実施の形態１に係る台間機３の受皿部２０の構成およびその周囲を示す斜視図である。図３は、実施の形態１に係る台間機３の受皿部２０に設けられた載置トレイ３０に充電対象機器４０が置かれた状態を示す斜視図である。
【００３５】
図２に示すように、台間機３は、前面下部に受皿部２０が設けられている。受皿部２０は、上述したように、受入部２１と通路部２２とを有する。計数機１１は、台間機３の前面下部に配置されており、通過する遊技媒体を検知して計数する遮光型フォトセンサなどの計数センサを有している。
【００３６】
受入部２１は、上部の開口より遊技媒体を受け入れる略矩形の箱型に形成され、内側上部に遊技媒体を受ける受面２１ａが設けられている。受入部２１における上部の開口の周囲には、遊技媒体が受入部２１の周囲に落下することを阻止する落下防止ガード２４，２５が設けられている。このような受入部２１は、底部に高さ調整機構（不図示）を有しており、高さが調整された状態で、固定部材（不図示）等を用いて膳板５に固定されている。
【００３７】
通路部２２は、一端が受入部２１に接続され、他端が台間機３前面下部、詳細には台間機３の下部に配設された計数機１１に接続されている。通路部２２内には、遊技媒体が通過する通路（不図示）が形成されている。該通路は台間機３に接続されている側が低くなるように緩やかに傾斜している。
【００３８】
遊技機２の下皿９（図１参照）に払い出された遊技媒体は、下皿９に設けられた排出レバー（不図示）を操作することで受入部２１へ落下し、通路部２２を介して計数機１１へ案内される。
【００３９】
台間機３の前面には、上述した充電対象機器４０を充電するための充電部１３が設けられている。図２の例では、充電部１３は、通路部２２が接続されている部分の上方に設けられている。充電部１３は、例えば、機器類の充電を行うことができるＵＳＢ充電ポートよりなる。図３に示すように、充電部１３は、ＵＳＢケーブル１４等を用いて充電対象機器４０と接続されることで、充電対象機器４０の充電を行う。
【００４０】
図２に戻り、上述した載置トレイ３０は、通路部２２の下面（底面）側に収納可能に設けられており、摘み３２を摘まんで遊技者が手前（遊技者側）に引き出せるようになっている。具体的には、通路部２２の下面に、断面コの字状のベース部３１が設けられ、このベース部３１に載置トレイ３０が収納可能に取り付けられている。ベース部３１は、膳板５に設けられた灰皿１５と干渉しないように右寄りに設けられ、灰皿１５とベース部３１との間は、３ｍｍ程度の隙間を有していることが好ましい。なお、図中の破線は、灰皿１５のフタ１５ａが開けられた状態を示している。
【００４１】
ベース部３１に載置トレイ３０を収納可能に取り付ける構成としては、例えば、ベース部３１の左右の相対する対向壁３１ａ，３１ａの内側に前後方向に延びるガイド溝(不図示)を形成し、載置トレイ３０の後端部の側面に、ベース部３１のガイド溝内を摺動する左右に突き出た突起(不図示)を形成する。このような構成では、載置トレイ３０は、左右の突起がガイド溝内を摺動することで、ベース部３１に対してスライド自在に支持される。この場合、ガイド溝の前端に壁部を設けることで、載置トレイ３０がベース部３１より抜け落ちることを防ぐことができる。
【００４２】
別の構成としては、ベース部３１の底壁３１ｂの上面に前後方向に延びるガイド溝(不図示)を形成し、載置トレイ３０の後端部の下面に、ベース部３１のガイド溝内を摺動する下方に突き出た突起(不図示)を形成する。このような構成では、載置トレイ３０は、左右の相対する対向壁３１ａ，３１ａに左右の側面がガイドされると共に、下面に形成された突起がガイド溝内を案内される。この場合も、ガイド溝の前端に壁部を設けることで、載置トレイ３０がベース部３１より抜け落ちることを防ぐことができる。
【００４３】
図３に示すように、載置トレイ３０には、ベース部３１より引き出された状態で手前に突出した（突き出た）位置に、左右方向に延びる長穴３３が形成されている。長穴３３は、充電対象機器４０とするスマートフォンや携帯電話を縦に挿入可能な形状を有しており、充電対象機器４０が差し込まれるようになっている。
【００４４】
このような構成の台間機３では、載置トレイ３０の長穴３３に充電対象機器４０を差し込むことで、充電対象機器４０を安定に縦置き状態で載置することができる。充電対象機器４０がスマートフォンの場合、載置トレイ３０にて画面が遮られるのはごく一部であるため、良好な視認性を確保することができる。充電対象機器４０が携帯電話であれば、キー搭載部側を長穴３３に差し込むことで、表面部側が載置トレイ３０にて遮られることはない。なお、図３の例では、充電対象機器４０をＵＳＢケーブル１４との接続部を上に向けて縦置きした状態を示しているが、接続部を下に向けて縦置きすることもできる。
【００４５】
また、長穴３３に差し込まれた状態のスマートフォンや携帯電話は、その後面が通路部２２の前壁に当接することで、鉛直方向に対して５〜２５度程度の傾きで遊技者側を向いた状態となる。したがって、遊技者は、目線を移動させるだけでスマートフォンや携帯電話の画面を見ることができる。
【００４６】
なお、充電対象機器４０は、スマートフォンや携帯電話に限らず、電子タバコを充電するための充電器や、スマートフォンや携帯電話を充電するためのモバイル充電器であってもよい。また、充電対象機器４０に限らず、たばこやライター等を載置することもできる。載置トレイ３０に載置したい物が、長穴３３に差し込むことができない形状の場合は、長穴３３を利用せずに載置トレイ３０の上に置けばよい。
【００４７】
ここで、ベース部３１およびベース部３１に収納された状態の載置トレイ３０の後方は、通路部２２の後面側より突出しない寸法とすることが好ましい。これは、通路部２２の後方に載置トレイ３０やベース部３１が突出すると、通路部２２の後方に落下した遊技媒体を取り出し難くなるためである。同じ理由から、ベース部３１と膳板５との間も、遊技媒体の取り出しが可能となるように、遊技媒体の直径以上に空いていることが好ましい。
【００４８】
〔実施の形態２〕
以下、本発明の一側面における他の実施の形態を、図４に基づいて例示する。なお、説明の便宜上、上記実施形態にて説明した部材と同じ機能を有する部材については、同じ符号を付記し、その説明を繰り返さない。
【００４９】
図４は、実施の形態２に係る台間機３の受皿部２０に設けられた載置トレイ３０Ａの構成と、載置トレイ３０Ａに充電対象機器４０が横置きされた状態を示す斜視図である。
【００５０】
前述した載置トレイ３０は長穴３３に充電対象機器４０を差し込むようになっているため、差し込まれた状態の充電対象機器４０の下端が膳板５に接触する。膳板５には灰皿１５が設けられているため、灰が散乱していることもあり、充電対象機器４０が膳板５に接触することを好まない遊技者もいる。そこで、実施の形態２おいては、充電対象機器４０が膳板５に一切接触しない構成を提案する。
【００５１】
図４に示すように、載置トレイ３０Ａは、長穴３３に代えて載置トレイ３０Ａの前端部に、充電対象機器４０に当接して動きを規制する前壁３４が設けられている。
【００５２】
このような構成の台間機３では、載置トレイ３０Ａの上に横置きされた充電対象機器４０は、下側の前端が前壁３４に当接し、後面が通路部２２の前壁に当接することで安定して載置される。しかも、充電対象機器４０は膳板５に接触することがない。そして、この場合も、鉛直方向に対して１５〜２５度程度の傾きで遊技者側を向いた状態となり、遊技中の遊技者は、目線を移動させるだけで画面を見ることができる。載置トレイ３０Ａの上に充電対象機器４０を、膳板５に接触させることなく安定して載置することができる。
【００５３】
なお、図４では横置きの状態を示しているが、載置トレイ３０Ａに対し、充電対象機器４０を縦置きすることもできる。例えば、灰皿１５を使用する場合には、充電対象機器４０を縦置きすることで、灰皿１５との干渉を回避できる。
【００５４】
〔実施の形態３〕
以下、本発明の一側面における他の実施の形態を、図５に基づいて例示する。なお、説明の便宜上、上記実施形態にて説明した部材と同じ機能を有する部材については、同じ符号を付記し、その説明を繰り返さない。
【００５５】
図５は、実施の形態３に係る台間機３の受皿部２０に設けられた載置トレイ３０Ｂの構成を示す斜視図であり、（ａ）は載置トレイ３０Ｂが引き出された状態、（ｂ）は載置トレイ３０Ｂを引き出した後、奥側を支点に下方に回動させて、充電対象機器４０が縦置きされた状態、（ｃ）は載置トレイ３０Ｂを引き出した後、奥側を支点に下方に回動させて、充電対象機器４０が横置きされた状態を示す。
【００５６】
図５の（ａ）〜（ｃ）に示すように、載置トレイ３０Ｂは、引き出された状態で奥側を支点に下方に回動させることができるようになっている。
【００５７】
前述した載置トレイ３０Ａの場合、充電対象機器４０がスマートフォンや携帯電話等のように一方向に長く縦置きした状態での重心位置が高い構成では、充電対象機器４０の後面が低い位置で通路部２２の前壁に当接すると、やや不安定な載置となる。
【００５８】
これに対し、このような載置トレイ３０Ｂとすることで、充電対象機器４０の下側の前端が当接する前壁３４から、充電対象機器４０の後面が当接する通路部２２の前壁までの距離が長くなる。これにより、一方向に長く縦置きした状態での重心位置が高くなる構成であっても、安定して縦置きすることができる。
【００５９】
つまり、載置トレイ３０Ｂの構成では、一方向に長い形状の充電対象機器４０であっても、縦置きおよび横置きのどちらでも、膳板５に接触させることなく安定して載置することができる。
【００６０】
図６の（ａ）（ｂ）は共に、載置トレイ３０Ｂを下方に回動させる機構を説明する図である。図６の（ａ）に示す例では、ベース部３１の左右の対向壁３１ａ，３１ａ（図５の（ａ）参照）に形成されたガイド溝３５の前端部が三角溝形状３５ａに形成され、載置トレイ３０Ｂの後端部の左右の突起３６が長円形状に形成される。ベース部３１の底壁３１ｂの前端部は、載置トレイ３０Ｂの回動に干渉しないように切り欠かれている。載置トレイ３０Ｂが最前位置まで引き出されて長円形状の突起３６が三角溝形状３５ａに入り込むことで、載置トレイ３０Ｂが下方に回動する。三角溝形状３５ａの斜め上方を向いた前端溝面３５ａ−１が、回動時のストッパ面となる。
【００６１】
図６の（ｂ）に示す例では、ベース部３１の底壁３１ｂの前端部が載置トレイ３０Ｂの回動に干渉しないように切り欠かれ、切り欠かれた部分の前端面は斜め上方を向いたテーパ面３１ｂ’となっている。左右のガイド溝３５に沿って載置トレイ３０Ｂが最前位置まで引き出されると、底壁３１ｂが無くなり、載置トレイ３０Ｂは左右の円形状の突起３７を軸に下方に回動する。載置トレイ３０Ｂは、底壁３１ｂのテーパ面３１ｂ’に下面が当たるまで回動する。テーパ面３１ｂ’が回動時のストッパ面となる。
【００６２】
図７は、載置トレイ３０Ｂを下方に回動させる別の機構を説明する図である。図７に示す例では、ガイド溝３５の前端部の三角溝形状３５ａにおける前端溝面３５ａ−１と角をなす後方溝面３５ａ−２にストッパ面となる凹部３５ａ−２’が形成されている。ストッパ面として、前端溝面３５ａ−１と凹部３５ａ−２’との２つを有する。載置トレイ３０Ｂが最前位置まで引き出されて長円形状の突起３６が凹部３５ａ−２’に入り込むことで、載置トレイ３０Ｂが１段階下方に回動する。さらに、載置トレイ３０Ｂを下方に回動させると、長円形状の突起３６は凹部３５ａ−２’を抜け出て前端溝面３５ａ−１に突き当たる（２段階目）。ここでは、２段階の設定としたが、後方溝面３５ｂ−２に形成する凹部３５ａ−２’の数を増やすことで、３段階以上の設定も可能である。
【００６３】
このような構成によれば、載置トレイ３０Ｂの角度を複数位置に設定可能となるので、充電対象機器４０がスマートフォンや携帯電話などの場合、遊技者自らが自身にとって見やすい角度に調整することができる。
【００６４】
〔実施の形態４〕
以下、本発明の一側面における他の実施の形態を、図８に基づいて例示する。なお、説明の便宜上、上記実施形態にて説明した部材と同じ機能を有する部材については、同じ符号を付記し、その説明を繰り返さない。
【００６５】
図８は、実施の形態４に係る台間機３の受皿部２０に設けられた載置トレイ３０Ｃの構成を示す斜視図であり、（ａ）は載置トレイ３０Ｃが引き出された状態、（ｂ）は引き出された載置トレイ３０Ｃが下方に回動された状態、（ｃ）は載置トレイ３０Ｂの一部が左方向にスライドして引き出された後に、充電対象機器４０が横置きされた状態である。図９は、図８の（ｃ）のＡ−Ａ線矢視断面図である。
【００６６】
図８の（ａ）（ｂ）に示すように、載置トレイ３０Ｃは、引き出された状態で下方に回動させることができる点までは載置トレイ３０Ｂと同じであるが、図８の（ｃ）に示すように、引き出された状態で、載置トレイ３０Ｃの一部であるスライド部３８を左側にスライドさせて、トレイ幅を広げることができるようになっている。
【００６７】
スライド部３８は、載置トレイ３０Ｃの下面に沿って配された左右方向に長い板状部材である。図９に示すように、スライド部３８の長手方向に沿った前端部３８ａと後端部３８ｂとが、載置トレイ３０Ｃの下面に形成された左右方向に延びる溝部３９，３９にてスライド自在に支持されている。前壁３４の左側の一部３４’もスライド部３８と一体に左にスライドするよう構成されている。
【００６８】
前述した載置トレイ３０Ｂの場合、一方向に長い構成の充電対象機器４０が横置きされると、充電対象機器４０の左側を支えるものがないため、やや不安定な載置となる。
【００６９】
これに対し、このような載置トレイ３０Ｃとすることで、充電対象機器４０をより広い面で支えることが可能となり、重心位置が載置トレイ３０Ｃの実装位置よりも左に位置するような充電対象機器４０であっても、安定して載置することができる。なお、図８の（ｃ）では、横置きを例示しているが、縦置きでも良い。
【００７０】
つまり、載置トレイ３０Ｃの構成では、より大きな充電対象機器４０を縦置きおよび横置きのどちらでも、より一層安定して載置することができる。
【００７１】
〔実施の形態５〕
以下、本発明の一側面における他の実施の形態を、図１０に基づいて例示する。なお、説明の便宜上、上記実施形態にて説明した部材と同じ機能を有する部材については、同じ符号を付記し、その説明を繰り返さない。
【００７２】
図１０は、実施の形態５に係る台間機３の受皿部２０に設けられた載置トレイ３０Ｄの構成を示す斜視図であり、（ａ）は載置トレイ３０Ｄが引き出された状態、（ｂ）は引き出された載置トレイ３０Ｄの底面の一部が奥側を支点に下方に回動された後に、充電対象機器が縦置きされた状態であり、また、その要部の拡大図である。
【００７３】
図１０の（ａ）（ｂ）に示すように、載置トレイ３０Ｄは、引き出された状態で下方に回動させることができる点までは載置トレイ３０Ｂと同じであるが、図１０の（ｂ）の要部の拡大図に示すように、引き出された状態で、載置トレイ３０Ｄの内周部３０Ｄ−１が回動し、外周部３０Ｄ−２が枠状に残るようになっている。内周部３０Ｄ−１の前端部には、充電対象機器４０の下端と当接して充電対象機器４０の動きを規制する、前述した前壁３４に代わる係止壁４３が設けられている。
【００７４】
上記構成によれば、枠状に残った外周部３０Ｄ−２に充電対象機器４０を挿し込む形になり、載置トレイ３０Ｂよりも縦置き時の充電対象機器４０の姿勢が安定し、手前に倒れ難くできる。
【００７５】
〔実施の形態６〕
以下、本発明の一側面における他の実施の形態を、図１１に基づいて例示する。なお、説明の便宜上、上記実施形態にて説明した部材と同じ機能を有する部材については、同じ符号を付記し、その説明を繰り返さない。
【００７６】
図１１は、実施の形態６に係る台間機３の受皿部２０に取り付けられたベース部３１Ａの構成を示す斜視図であり、（ａ）はベース部３１Ａを左にスライドさせた状態、（ｂ）はベース部３１Ａを左にスライドさせた状態で充電対象機器４０が横置きされた状態である。図１２は、ベース部３１Ａのスライド機構を示す説明図である。
【００７７】
図１１の（ａ）（ｂ）に示すように、ベース部３１Ａは左右にスライド可能に設けられている。図５（ｃ）と比較するとわかるように、図１１の（ａ）においては、ベース部３１Ａは受入部２１から離れて左方向にスライドしている。
【００７８】
このような構成とすることで、膳板５に灰皿が設置されていない遊技店や、設置されていても使用されていない遊技店の場合は、ベース部３１Ａを左方向にスライドさせることで、たとえ載置トレイ３０Ｂのようにトレイ幅を変えることができない構成であっても、台中央に充電対象機器４０を載置できるようになり、より安定して載置することができる。
【００７９】
ベース部３１Ａを通路部２２にスライド可能に取り付ける構成としては、例えば、図１２に示すように、通路部２２の下面２２ａに横長のスリット４４を設け、ベース部３１Ａにはスリット４４に係合する爪部４５を形成し、スリット４４にスナップフィット構造で爪部４５をはめ込んで取り付ける構成を採用できる。図１２の例では、スリット４４と爪部４５との組を４つ設けているが、数は限定されない。このような構成では、スリット４４の長さ分、載置トレイ３０Ｂの取り付け位置（実装位置）を左右にスライドすることが可能となる。
【００８０】
さらに、上記構成では、ベース部３１Ａを容易に脱着可能にするために、図１２に示すように、スリット４４の一部に切欠き部４６が設けられている。切欠き部４６を設けることより、爪部４５を切欠き部４６の中に入り込ませて、爪部４５の後面に空間を作ることが可能となる。
【００８１】
図１３は、ベース部３１Ａを通路部２２に対して脱着可能にする構成を示す説明図であり、（ａ）は爪部４５が切欠き部４６の無い位置にある状態の要部の斜視図、（ｂ）は爪部４５が切欠き部４６の有る位置にある状態の要部の斜視図、（ｃ）は（ａ）のＢ−Ｂ線矢視断面図、（ｄ）は（ｂ）のＣ−Ｃ線矢視断面図、（ｅ）（ｆ）は、（ｄ）の状態から工具を用いてベース部３１Ａを取り外す動作を示している。
【００８２】
図１３の（ａ）（ｃ）に示すように、爪部４５が切欠き部４６の無い位置では、爪部４５の後面に空間が無いため、爪部４５はスリット４４から外れることはない。一方、図１３の（ｂ）（ｄ）に示すように、ベース部３１Ａを移動させて、爪部４５が切欠き部４６の有る位置に合わせると、爪部４５の後面に空間を作ることができ、爪部４５を矢印４８の方向に逃すことができる。切欠き部４６を有するスリット４４における爪部４５の前面が係合する側のスリット壁には、爪部４５の引っ掛かりを外すための工具（マイナスドラーバー等）が差し込めるように設けられたテーパ部２２ａ−１が形成されている。
【００８３】
この状態から、図１３の（ｅ）に示すように、テーパ部２２ａ−１より工具５０を差し込み押し込むことで、爪部４５が切欠き部４６側へ倒れ、ベース部３１Ａへの係合が解除され、下方向にベース部３１Ａを引くことで、載置トレイ３０Ｂをベース部３１Ａごと取り外すことができる。
【００８４】
なお、ベース部３１Ａの取り付け時は、先に、切欠き部４６の無いスリット４４に爪部４５を引っ掛ける。そして、引掛けた爪部４５を支点に反対側を持ち上げて、切欠き部４６を有するスリット４４に反対側の爪部４５をスナップフィットで通路部２２の下面２２ａに係合させる。
【００８５】
このように容易に脱着できる構成とすることで、充電部１３の使用を行っていない遊技店や、載置トレイ３０Ｂを必要としない遊技店においては、容易に取り外すことができる。なお、ここでは、載置トレイ３０Ｂを例示したが、載置トレイ３０〜３０Ｄの何れでもよい。なお、ここでは、スライド可能に構成されたベース部３１Ａを着脱可能としたが、スライド可能に構成されていないベース部３１を着脱可能にすることもできる。
【００８６】
〔参考例〕
以下、本発明の参考例を、図１４に基づいて例示する。なお、説明の便宜上、上記実施形態にて説明した部材と同じ機能を有する部材については、同じ符号を付記し、その説明を繰り返さない。
【００８７】
図１４は、参考例の台間機３の受皿部２０に設けられた載置トレイ１３０を跳ね上げて収納する構成を示す斜視図であり、（ａ）は載置トレイ１３０が跳ね上げて収納された状態、（ｂ）は載置トレイ１３０の使用時の状態である。図１５は、参考例の台間機３の受皿部２０に設けられた載置トレイ１３０の構成と、実施の形態１〜５に係る台間機３の受皿部２０に設けられた載置トレイ３，３０Ａ〜３０Ｄの構成とを比較した説明図である。
【００８８】
図１４の（ａ）（ｂ）に示すように、跳ね上げ式にて収納させる構成とすることもできる。しかしながら、跳ね上げ式の場合、図１５の（ａ）に示すように、載置トレイ１３０は収納しても通路部２２の前壁より前方に飛び出した状態となる。そのため、灰皿１５と重なる位置にある場合において、載置トレイ１３０を使わずに、灰皿１５を使おうとしても、収納した載置トレイ１３０に灰皿のフタ１５ａが干渉してしまう可能性がある。
【００８９】
これに対し、図１５の（ｂ）に示すように、前述の実施の形態１〜６の載置トレイ３０〜３０Ｄの引き出し式の構造では、通路部２２の前壁より前方に飛び出さない状態に収納することができるので、灰皿１５の使用に支障がない。
【００９０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００９１】
１  遊技島
２  遊技機
３  台間機
５  膳板
１１  計数機
１３  充電部
１４  ＵＳＢケーブル
１５  灰皿
１５ａ  フタ
２０  受皿部
２１  受入部
２１ａ  受面
２２  通路部
２２ａ  下面
２２ａ−１  テーパ部
２４，２５  落下防止ガード
３０、３０Ａ、３０Ｂ、３０Ｃ、３０Ｄ  載置トレイ（載置台）
３０Ｄ−１  内周部
３０Ｄ−２  外周部
３１、３１Ａ  ベース部
３１ａ，３１ａ  対向壁
３１ｂ  底壁
３１ｂ’  テーパ面
３３  長穴
３４  前壁
３５  ガイド溝
３５ａ  三角溝形状
３５ａ−１  前端溝面
３５ａ−２  後方溝面
３５ａ−２’  凹部
３６、３７  突起
３８  スライド部
３８ａ  前端部
３８ｂ  後端部
３９  溝部
４０  充電対象機器
４３  係止壁
４４  スリット
４５  爪部
４６  切欠き部
５０  工具
【図１】
2019150402.tif 000003
【図２】
2019150402.tif 000004
【図３】
2019150402.tif 000005
【図４】
2019150402.tif 000006
【図５】
2019150402.tif 000007
【図６】
2019150402.tif 000008
【図７】
2019150402.tif 000009
【図８】
2019150402.tif 000010
【図９】
2019150402.tif 000011
【図１０】
2019150402.tif 000012
【図１１】
2019150402.tif 000013
【図１２】
2019150402.tif 000014
【図１３】
2019150402.tif 000015
【図１４】
2019150402.tif 000016
【図１５】
2019150402.tif 000017